(57)【特許請求の範囲】
【請求項１】
外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の外側面に密着した断熱材の内部を白アリが通過して軸組及び床組へ侵入するのを物理的に防止する建物の防蟻構造であって、
前記断熱材の少なくとも上面を、前記白アリの分泌物に耐性の耐腐食性材料で構成されかつ複数のアンカー孔を有するシート材で被覆し、このシート材に、少なくともセメントと細骨材とを含有する表面材を塗布したことを特徴とする建物の防蟻構造。
【請求項２】
前記シート材の内方側の縁部を、前記立ち上がり部とこの立ち上がり部上に載置される土台との間に介在する気密パッキンの下に挟んだことを特徴とする請求項１記載の建物の防蟻構造。
【請求項３】
前記シート材の内方側の縁部を前記立ち上がり部に埋設したことを特徴とする請求項１記載の建物の防蟻構造。
【請求項４】
前記シート材の内方側の縁部を、前記立ち上がり部の天端に施工されるならしモルタルに埋設したことを特徴とする請求項３記載の建物の防蟻構造。
【請求項５】
外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の内側面に密着した断熱材の内部を白アリが通過して軸組及び床組へ侵入するのを物理的に防止する建物の防蟻構造であって、
前記断熱材の少なくとも上面を、前記白アリの分泌物に耐性の耐腐食性材料で構成されかつ複数のアンカー孔を有するシート材で被覆し、このシート材に、少なくともセメントと細骨材とを含有する表面材を塗布したことを特徴とする建物の防蟻構造。
【請求項６】
前記シート材の外方側の縁部を、前記立ち上がり部とこの立ち上がり部上に載置される土台との間に介在する気密パッキンの下に挟んだことを特徴とする請求項５記載の建物の防蟻構造。
【請求項７】
前記シート材の外方側の縁部を前記立ち上がり部に埋設したことを特徴とする請求項５記載の建物の防蟻構造。
【請求項８】
前記シート材の外方側の縁部を、前記立ち上がり部の天端に施工されるならしモルタルに埋設したことを特徴とする請求項７記載の建物の防蟻構造。
【請求項９】
前記シート材の内方側の縁部を前記土間床に取付けたことを特徴とする請求項１、２、５、６、７、又は８記載の建物の防蟻構造。
【請求項１０】
建物の基礎スラブの外側面に密着した断熱材の内部を白アリが通過して、前記基礎スラブ上に設置された軸組及び床組へ侵入するのを物理的に防止する建物の防蟻構造であって、
前記断熱材の少なくとも上面を、前記白アリの分泌物に耐性の耐腐食性材料で構成されかつ複数のアンカー孔を有するシート材で被覆し、このシート材に、少なくともセメントと細骨材とを含有する表面材を塗布したことを特徴とする建物の防蟻構造。
【請求項１１】
前記シート材の内方側の縁部を、前記基礎スラブとこの基礎スラブ上に載置される土台との間に介在する気密パッキンの下に挟んだことを特徴とする請求項１０記載の建物の防蟻構造。
【請求項１２】
前記シート材の内方側の縁部を前記基礎スラブに埋設したことを特徴とする請求項１０記載の建物の防蟻構造。
【請求項１３】
前記シート材の２つの縁部の少なくとも一方の縁部を前記断熱材の側面に取付けたことを特徴とする請求項１、５、又は１０記載の建物の防蟻構造。
【請求項１４】
前記シート材が可撓性を有することを特徴とする請求項１乃至１３のいずれか記載の建物の防蟻構造。
【請求項１５】
前記シート材が、少なくともいずれかの方向において前記白アリの頭部横断面の最大寸法の２倍以下の寸法である複数のアンカー孔を有することを特徴とする請求項１乃至１４のいずれか記載の建物の防蟻構造。
【発明の詳細な説明】
【０００１】
【発明の属する技術分野】
この発明は、床下空間を有しない建物の断熱基礎に使用される断熱材の内部を白アリが通過して軸組や床組へ侵入するのを物理的に防止する建物の防蟻構造に関する。
【０００２】
【従来の技術】
建物における従来の白アリ防除技術としては、例えば、(1) 建物の床下の地盤（土壌）と、地面から１ｍ以内の木部とを薬剤で処理する方法や、(2) 白アリの活動をモニタリングしながら、侵入してきた白アリに少量の薬剤を含む毒餌を摂食させて根絶するベイト工法（レスケミカル法）等が知られている。
【０００３】
しかしながら、上記のような従来例(1) においては、薬剤に起因する化学物質過敏症等の問題があり、即ち、建物内の環境が化学物質によって汚染されるという問題点がある。
【０００４】
また、従来例(2) においては、白アリに毒餌を摂食させ、コロニー全体の活力を衰退させることを目的とするので、その開始から終了までに少なくとも数カ月〜２年程度の長期間を要するという問題点がある。
【０００５】
そこで、これらの問題が発生しないように、(3) 薬剤を全く使用しない、ステンレスメッシュや破砕石等の物理的なバリアーを構築する物理的工法（ケミカルフリー法）等が提案されている。この物理的工法に使用されるバリアー材としては、例えば、特許第２６５２９０２号公報及び特表平８−５０６８６８号公報に開示されているように、白アリの分泌物に耐性で且つ少なくとも約７０のショア硬度を有する耐腐食性材料の編み目シートからなり、この編み目の孔がいずれの方向においても制御すべき白アリ種の頭部横断面の最大寸法より小径である白アリバリアー材等がある。
【０００６】
【発明が解決しようとする課題】
しかしながら、上記のような従来例(3) においては、断熱基礎等に使用される断熱材の内部を白アリが通過するのを防止することについては開示されていない。
【０００７】
この発明は、以上のような問題点に鑑みてなされたものであり、断熱基礎に使用される断熱材の内部を白アリが通過して軸組や床組へ侵入するのを物理的に防止できる建物の防蟻構造を提供することを目的とする。
【０００８】
【課題を解決するための手段】
上記目的を達成するための手段とするところは、第１に、外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の外側面に密着した断熱材の内部を白アリが通過して軸組及び床組へ侵入するのを物理的に防止する建物の防蟻構造であって、前記断熱材の少なくとも上面を、前記白アリの分泌物に耐性の耐腐食性材料で構成されかつ複数のアンカー孔を有するシート材で被覆し、このシート材に、少なくともセメントと細骨材とを含有する表面材を塗布したことにある。
【０００９】
第２に、前記シート材の内方側の縁部を、前記立ち上がり部とこの立ち上がり部上に載置される土台との間に介在する気密パッキンの下に挟んだことにある。
【００１０】
第３に、前記シート材の内方側の縁部を前記立ち上がり部に埋設したことにある。
【００１１】
第４に、前記シート材の内方側の縁部を、前記立ち上がり部の天端に施工されるならしモルタルに埋設したことにある。
【００１２】
第５に、外周部分に施工された布基礎と、この布基礎の内方に盛り上げられる盛土上に前記布基礎の天端面とその上面とがほぼ同じ高さとなるように施工される土間床とを有する建物の前記布基礎の立ち上がり部の内側面に密着した断熱材の内部を白アリが通過して軸組及び床組へ侵入するのを物理的に防止する建物の防蟻構造であって、前記断熱材の少なくとも上面を、前記白アリの分泌物に耐性の耐腐食性材料で構成されかつ複数のアンカー孔を有するシート材で被覆し、このシート材に、少なくともセメントと細骨材とを含有する表面材を塗布したことにある。
【００１３】
第６に、前記シート材の外方側の縁部を、前記立ち上がり部とこの立ち上がり部上に載置される土台との間に介在する気密パッキンの下に挟んだことにある。
【００１４】
第７に、前記シート材の外方側の縁部を前記立ち上がり部に埋設したことにある。
【００１５】
第８に、前記シート材の外方側の縁部を、前記立ち上がり部の天端に施工されるならしモルタルに埋設したことにある。
【００１６】
第９に、前記シート材の内方側の縁部を前記土間床に取付けたことにある。
【００１７】
第１０に、建物の基礎スラブの外側面に密着した断熱材の内部を白アリが通過して、前記基礎スラブ上に設置された軸組及び床組へ侵入するのを物理的に防止する建物の防蟻構造であって、前記断熱材の少なくとも上面を、前記白アリの分泌物に耐性の耐腐食性材料で構成されかつ複数のアンカー孔を有するシート材で被覆し、このシート材に、少なくともセメントと細骨材とを含有する表面材を塗布したことにある。
【００１８】
第１１に、前記シート材の内方側の縁部を、前記基礎スラブとこの基礎スラブ上に載置される土台との間に介在する気密パッキンの下に挟んだことにある。
【００１９】
第１２に、前記シート材の内方側の縁部を前記基礎スラブに埋設したことにある。
【００２０】
第１３に、前記シート材の２つの縁部の少なくとも一方の縁部を前記断熱材の側面に取付けたことにある。
【００２１】
第１４に、前記シート材が可撓性を有することにある。
【００２２】
第１５に、前記シート材が、少なくともいずれかの方向において前記白アリの頭部横断面の最大寸法の２倍以下の寸法である複数のアンカー孔を有することにある。
【００２３】
【発明の実施の形態】
以下、この発明の実施形態を図面に基づいて説明する。
図１乃至図４に示すように、第１実施形態に係る建物Ａの防蟻構造は、例えば、外周部分に施工された布基礎１と盛土２上に施工される土間床３とを有する床下空間のない建物Ａの前記布基礎１の立ち上がり部４の外側面４ａに密着した断熱材５の内部を白アリ６が通過して軸組Ｂ及び床組Ｃへ侵入するのを物理的に防止するものであって、前記断熱材５の上面５ｃを、前記白アリ６の分泌物に耐性の耐腐食性材料で構成された例えばステンレスメッシュ（シート材）７で被覆すると共に、このステンレスメッシュ７の２つの縁部７ａ，７ｂを前記断熱材５の外側面５ａと内側面５ｂにそれぞれ取付けたものである。
【００２４】
前記布基礎１は、建物Ａの外周部分に平面視で例えば矩形状等に施工され、図１及び図２に示すように、立ち上がり部４とベース部８とから横断面が例えば逆Ｔ字状に形成されている。なお、布基礎１の内方には、この実施形態のような間仕切基礎等の布基礎９と共に又は布基礎９に代えて、独立基礎等を設けておいてもよい。
【００２５】
前記土間床３は、布基礎１の内方に周囲の地盤面１０ａより高く盛り上げられた盛土２上に、布基礎１の天端面１ｃとその上面３ｃとがほぼ同じ高さとなるように施工されている。なお、盛土２上には、この実施形態のような目つぶし砂利１１の他又は目つぶし砂利１１と共に、防湿フィルムや断熱材等を敷設しておいてもよい。
【００２６】
前記断熱材５は、例えば合成樹脂発泡体等から構成され、前記立ち上がり部４の外側面４ａに密着している。なお、この断熱材５は、布基礎１を施工してから立ち上がり部４に接着等してもよいし、あるいは断熱材５を配置してから立ち上がり部４等を打設してもよい。また、この実施形態においては、断熱材５と立ち上がり部４がほぼ同じ高さに形成されているが、これに限定されるものではなく、断熱材５の高さや取付け位置等は必要に応じて適宜変更可能である。
【００２７】
前記白アリ６とは、ゴキブリに近縁の社会生活をする不完全変態の昆虫であって、シロアリ目（等翅類）Isopteraの総称である。このような白アリ６としては、例えば、ヤマトシロアリやイエシロアリ等の各種の白アリが挙げられる。また、この白アリ６は、図３に示すように、非変形性の堅い頭部６ａを有する一方、比較的柔らかくて弱い体部６ｂを有している。
【００２８】
前記ステンレスメッシュ７は、図４に示すように、白アリ６の分泌物に耐性で且つ少なくとも約７０のショア硬度を有する耐腐食性材料であるステンレス鋼ワイヤー７ｃ等から製織されて複数の編み目（アンカー孔）１２を有している。このようなステンレスメッシュ７としては、例えば、「ターミーメッシュ（ＴＥＲＭＩ−ＭＥＳＨ）」（商品名、ターミーメッシュ・オーストラリア社製）等を好適に使用することができる。
【００２９】
なお、白アリバリアー材として使用されるシート材としては、このようなステンレスメッシュ７に限定されるものではなく、白アリ６から放出されるギ酸等の分泌物に耐性で且つ白アリ６が噛み砕くことができない硬さ、好ましくは少なくとも約７０のショア硬度を有すると共に、使用環境下で数十年の耐用年数を有する耐腐食性材料で構成されていれば、種々のものを使用することができる。このようなシート材としては、例えば、セラミックス、ガラス、合成樹脂等の繊維、フィラメント、ストランド等から製織又は製編等されたシートや不織布、あるいは金属板、金属シート等が挙げられる。
【００３０】
前記ステンレスメッシュ７等のシート材は、断熱材５に、例えば釘、ビス、ステープル等の止着部材や接着剤、あるいは熱溶着等によってあらかじめ工場等で取付けられるか又は建物Ａの建築現場で取付けられる。なお、シート材を釘等の止着部材で取付ける場合には、必要に応じてこの止着部材を例えば銅、亜鉛、黄銅等で構成したり、あるいは含有させたりして、白アリ忌避効果を発揮させるようにしておいてもよい。
【００３１】
ここで、シート材がステンレスメッシュ７等のように可撓性を有する場合には、建築現場での賦形等が可能であるので、シート材を建築現場で取付ける際の施工が簡単であるという利点がある。なお、可撓性を有しない場合には、工場生産等により、シート材を取付けようとする断熱材５の所定箇所の形状に合わせてあらかじめ適宜の形状に製造しておけばよい。
【００３２】
また、シート材が前記編み目１２等の複数のアンカー孔を有する場合には、断熱材５にシート材を接着又は熱溶着等する際に、アンカー効果によりこれらをより強固に一体化できるという利点がある。なお、複数のアンカー孔を有するシート材としては、前記ステンレスメッシュ７の他、例えばアンカー孔を打ち抜いて形成したパンチングメタル等が挙げられる。
【００３３】
この場合、アンカー孔の寸法が、少なくともいずれかの方向において前記白アリ６の頭部６ａの横断面の最大寸法Ｈの２倍以下である時には、白アリ６の頭部６ａが通り抜けないか又は頭部６ａが通り抜けても柔らかい体部６ｂ等がアンカー孔に接触するような寸法であり、白アリ６がそれを嫌うので、白アリ６がシート材を通り抜けるのを阻止することができる。また、アンカー孔の寸法を比較的大きくできるので、シート材の材料コストを低減化できると共に、寸法精度も低くてよいために製造も簡単であるという利点がある。
【００３４】
なお、前記最大寸法Ｈは、例えばイエシロアリの職蟻で１．１〜１．２５ｍｍ程度、ヤマトシロアリの職蟻で１．０〜１．２ｍｍ程度であるので、ヤマトシロアリが生息する地域では、アンカー孔の寸法を少なくともいずれかの方向において２．４ｍｍ程度以下としておくのが望ましい。このアンカー孔の形状は特に限定されるものではなく、矩形状や円状等の適宜の形状とすることができる。要するに、アンカー孔の寸法が、いずれか一方向、あるいは２以上の方向において２Ｈ以下であればよい。
【００３５】
ここで、シート材がステンレスメッシュ７等のメッシュ状部材である場合には、その繊維、フィラメント、又はストランド等の数を少なくできるので、コストダウンをより効果的に図ることができるという利点がある。
【００３６】
また、アンカー孔の寸法が２Ｈを超えるが３Ｈ以下である場合には、シート材に、少なくともセメントと細骨材とを含有する例えばモルタルや接着セメント等の表面材を塗布しておけば、前記細骨材等により白アリ６の通り抜けを阻止することができる。アンカー孔の寸法が３Ｈを超える場合には、表面材を塗布しておいても白アリ６が通り抜ける可能性があるので好ましくない。なお、２Ｈ以下の場合でも、表面材を塗布しておいても差し支えない。
【００３７】
前記表面材には、強度、耐クラック性、接着性、水密性、耐摩耗性等を向上させるために、前記接着セメントに含有されるセメント接着剤等のポリマーを添加しておくのが望ましく、また、必要に応じて例えば亜鉛や銅、あるいは亜鉛化合物や銅化合物等の白アリ忌避剤を添加しておいてもよい。この表面材は、断熱材５にシート材を接着又は熱溶着等して一体化してから塗布してもよいし、あるいは断熱材５にこの表面材でシート材を接着してもよい。
【００３８】
このように、断熱材５の少なくとも上面５ｃをステンレスメッシュ７等のシート材で被覆しておけば、床下空間を有しない建物Ａにおいて、地盤１０等から断熱材５に侵入した白アリ６がこの断熱材５の内部を通過して軸組Ｂや床組Ｃへ侵入するのを防止できるという利点がある。また、布基礎１の内方の盛土２上に土間床３が施工されているので、布基礎１の内方から白アリ６が侵入しにくいという利点がある。
【００３９】
なお、シート材の被覆範囲としては、この実施形態に限定されるものではなく、例えば図５に示すように断熱材５の上面５ｃだけを被覆しておいてもよいが、好ましくは図６及び図７に示すように、シート材の２つの縁部７ａ，７ｂのいずれか一方を断熱材５の外側面５ａ又は内側面５ｂに取付けることにより、断熱材５の上面５ｃにおける２つの角部１３ａ，１３ｂのいずれか一方と上面５ｃとを横断面Ｌ字状に、より好ましくは図１及び図２のように、２つの角部１３ａ，１３ｂと上面５ｃとを横断面コ字状に被覆しておくのが望ましい。即ち、前記角部１３ａ，１３ｂにおいては、断熱材５の内部を上面５ｃ付近まで進行した白アリ６がこれら角部１３ａ，１３ｂから上方へ回り込むように進行する可能性があるので、これら角部１３ａ，１３ｂをシート材で被覆しておけば、白アリ６のこの回り込みを防止できるという利点がある。
【００４０】
図８に示すように、第２実施形態に係る建物Ａの防蟻構造は、第１実施形態において、前記ステンレスメッシュ７の内方側の縁部７ｂをより長く形成しておき、この縁部７ｂを、立ち上がり部４とこの立ち上がり部４上に載置される土台１４との間に介在する気密パッキン１５の下に挟んだものである。
【００４１】
このようにして前記縁部７ｂを立ち上がり部４上に固定しておけば、断熱材５と立ち上がり部４との間に隙間が形成されている場合でも、この隙間から軸組Ｂや床組Ｃへ白アリ６が侵入するのを防止できるという利点がある。
【００４２】
なお、この場合、図９に示すように、断熱材５の上面５ｃだけをステンレスメッシュ７等で被覆しておいてもよいが、断熱材５の外側面５ａ側の角部１３ａからの白アリ６の回り込みを防止するためには、この実施形態のように、ステンレスメッシュ７等の外方側の縁部７ａを断熱材５の外側面５ａに取付けてこの角部１３ａをも被覆しておくのが望ましい。
【００４３】
前記気密パッキン１５としては、従来公知の種々の構成のものが挙げられ、この気密パッキン１５の下に前記縁部７ｂの一部だけが挟まれていてもよい。また、図１０に示すように、断熱材５の外側面５ａ側の角部１３ａや上面５ｃをステンレスメッシュ７等で被覆すると共に、気密パッキン１５の下に挟まれるステンレスメッシュ７等の縁部７ｂを更に立ち上がり部４の内側面４ｂ側の角部１６ｂに沿って折曲する場合等において、あらかじめ立ち上がり部４と断熱材５の厚さの和とほぼ同じ幅の開口部を有する横断面がコ字状のステンレスメッシュ７等を用意しておき、この横断面がコ字状のステンレスメッシュ７等を上方から載置するようにすれば、ステンレスメッシュ７等のシート材の位置決めが簡単であると共に、固定するまでのずれも防止できるという利点がある。
【００４４】
更に、図１１に示すように、前記縁部７ｂを、土間床３の上面３ｃに接着セメント等で接着したり、あるいは土間床３の打設の際にこの土間床３に埋設したりして土間床３に取付けておけば、前記立ち上がり部４と土間床３との打ち継ぎ部分１７からの白アリ６の侵入をも防止できるという利点がある。
【００４５】
なお、前記縁部７ｂの固定手段はこの実施形態に限定されるものではなく、この縁部７ｂを前記気密パッキン１５の下に挟む代わりに、コンクリートを打設して施工される立ち上がり部４に埋設してもよい。この場合も上記と同様、断熱材５と立ち上がり部４との間に隙間が形成されていても、この隙間から軸組Ｂや床組Ｃへ白アリ６が侵入するのを防止することができる。ここで、図１２に示すように、前記縁部７ｂを立ち上がり部４の天端に施工されるならしモルタル１８に埋設する場合には、断熱材５を配置してから立ち上がり部４等を打設する手順に加え、布基礎１を施工してから断熱材５を密着させることもできるので、施工の自由度が大きいという利点がある。
【００４６】
以上の第１及び第２実施形態においては、前記断熱材５が立ち上がり部４の外側面４ａに密着している場合について説明したが、これに限定されるものではなく、図１３に示すように、断熱材５が立ち上がり部４の内側面４ｂに密着していてもよい。
【００４７】
この場合も上記と同様、図１４に示すようにステンレスメッシュ７等の内方側の縁部７ｂを土間床３に取付けたり、図１５に示すように外方側の縁部７ａを気密パッキン１５の下に挟んだりしてもよい。
【００４８】
また、図１６に示すように、立ち上がり部４の外側面４ａと内側面４ｂの両方に断熱材５が密着していてもよい。この場合、これらの上面５ｃ等を別々のステンレスメッシュ７等で被覆しておいてもよいが、図１６のように気密パッキン１５の下に挟まれる同じステンレスメッシュ７等で両側の断熱材５の上面５ｃ等をそれぞれ被覆しておいてもよい。
【００４９】
加えて、布基礎１の内方に設けられた布基礎９等と土間床３との打ち継ぎ部分１９の上方又は下方には、この打ち継ぎ部分１９からの白アリ６の侵入を防止するために、シート材をこの打ち継ぎ部分１９を閉塞するように取付けておくのが望ましい。
【００５０】
図１７に示すように、第３実施形態に係る建物Ａの防蟻構造は、例えば、床下空間を有しない建物Ａの基礎スラブ２０の外側面２０ａに密着した断熱材５の内部を白アリ６が通過して、前記基礎スラブ２０上に設置された軸組Ｂ及び床組Ｃへ侵入するのを物理的に防止するものであって、前記断熱材５の上面５ｃをステンレスメッシュ７で被覆すると共に、このステンレスメッシュ７の２つの縁部７ａ，７ｂを前記断熱材５の外側面５ａと内側面５ｂにそれぞれ取付けたものである。
【００５１】
前記基礎スラブ２０は、土台１４等が載置される部分が他の部分より厚肉に形成されているが、この基礎スラブ２０の構成としては特に限定されるものではなく、軸組Ｂや床組Ｃを直接設置できる各種の構成のものを採用することができる。また、この基礎スラブ２０の下方の所定範囲には、必要に応じて断熱材を敷設しておいてもよい。
【００５２】
このように、基礎スラブ２０においても布基礎１の場合と同様、断熱材５の少なくとも上面５ｃをステンレスメッシュ７等のシート材で被覆しておけば、地盤１０等から断熱材５に侵入した白アリ６がこの断熱材５の内部を通過して軸組Ｂや床組Ｃへ侵入するのを防止できるという利点がある。
【００５３】
また、第２実施形態と同様、この実施形態においてもステンレスメッシュ７等の内方側の縁部７ｂをより長く形成しておき、この縁部７ｂを前記気密パッキン１５の下に挟んだり、あるいは図１８に示すように、基礎スラブ２０の打設の際にこの基礎スラブ２０に埋設したりしておけば、断熱材５と基礎スラブ２０との間に隙間が形成されていても、この隙間から軸組Ｂや床組Ｃへ白アリ６が侵入するのを防止することができる。
【００５４】
【発明の効果】
以上のように、請求項１及び５の発明によれば、前記断熱材の少なくとも上面を前記シート材で被覆しているので、布基礎と土間床とを有する床下空間のない建物において、地盤等から断熱材に侵入した白アリがこの断熱材の内部を通過して軸組や床組へ侵入するのを防止できるという利点がある。また、布基礎の内方の盛土上に土間床が施工されているので、布基礎の内方から白アリが侵入しにくいという利点がある。更に、前記シート材に、少なくともセメントと細骨材とを含有する表面材を塗布しているので、前記細骨材等により白アリの通り抜けを阻止することができる。
【００５５】
請求項２及び６の発明によれば、前記シート材の内方側の縁部を前記気密パッキンの下に挟んでいるので、断熱材と立ち上がり部との間に隙間が形成されている場合でも、この隙間から軸組や床組へ白アリが侵入するのを防止できるという利点がある。
【００５６】
請求項３及び７の発明によれば、前記シート材の内方側の縁部を前記立ち上がり部に埋設しているので、請求項２及び６の効果と同様、断熱材と立ち上がり部との間に隙間が形成されていても、この隙間から軸組や床組へ白アリが侵入するのを防止することができる。
【００５７】
請求項４及び８の発明によれば、前記シート材の内方側の縁部を、前記立ち上がり部の天端に施工されるならしモルタルに埋設しているので、請求項２、３、６、及び７の効果と同様、断熱材と立ち上がり部との間に隙間が形成されていても、この隙間からの白アリの侵入を防止することができる。また、断熱材を配置してから立ち上がり部等を打設する手順に加え、布基礎を施工してから断熱材を密着させることもできるので、施工の自由度が大きいという利点がある。
【００５８】
請求項９の発明によれば、前記シート材の内方側の縁部を前記土間床に取付けているので、前記立ち上がり部や断熱材と土間床との打ち継ぎ部分からの白アリの侵入をも防止できるという利点がある。
【００５９】
請求項１０の発明によれば、前記断熱材の少なくとも上面を前記シート材で被覆しているので、基礎スラブ上に軸組や床組が設置された床下空間を有しない建物において、地盤等から断熱材に侵入した白アリがこの断熱材の内部を通過して軸組や床組へ侵入するのを防止できるという利点がある。また、前記シート材に、少なくともセメントと細骨材とを含有する表面材を塗布しているので、前記細骨材等により白アリの通り抜けを阻止することができる。
【００６０】
請求項１１の発明によれば、前記シート材の内方側の縁部を前記気密パッキンの下に挟んでいるので、断熱材と基礎スラブとの間に隙間が形成されている場合でも、この隙間から軸組や床組へ白アリが侵入するのを防止できるという利点がある。
【００６１】
請求項１２の発明によれば、前記シート材の内方側の縁部を前記基礎スラブに埋設しているので、請求項１１の効果と同様、断熱材と基礎スラブとの間に隙間が形成されていても、この隙間から軸組や床組へ白アリが侵入するのを防止することができる。
【００６２】
請求項１３の発明によれば、前記シート材の２つの縁部の少なくとも一方の縁部を前記断熱材の側面に取付けているので、断熱材の上面における角部から上方へ白アリが回り込むのを防止できるという利点がある。
【００６３】
請求項１４の発明によれば、前記シート材が可撓性を有するので、建築現場での賦形等が可能であり、そのためシート材を建築現場で取付ける際の施工が簡単であるという利点がある。
【００６４】
請求項１５の発明によれば、前記シート材が、少なくともいずれかの方向において前記白アリの頭部横断面の最大寸法の２倍以下の寸法である複数のアンカー孔を有するので、断熱材にシート材を接着又は熱溶着等する際に、アンカー効果によりこれらをより強固に一体化できるという利点がある。また、アンカー孔の寸法が前記最大寸法の２倍以下で、白アリの頭部が通り抜けないか又は頭部が通り抜けても柔らかい体部等がアンカー孔に接触するような寸法であり、白アリがそれを嫌うので、白アリがシート材を通り抜けるのを阻止することができる。また、アンカー孔の寸法を比較的大きくできるので、シート材の材料コストを低減化できると共に、寸法精度も低くてよいために製造も簡単であるという利点がある。
【図面の簡単な説明】
【図１】第１実施形態に係る建物の防蟻構造の縦断面図。
【図２】図１の要部拡大縦断面図。
【図３】  (a) は白アリの平面図、(b) は(a) のＹ−Ｙ線断面図。
【図４】ステンレスメッシュの要部拡大平面図。
【図５】断熱材の上面だけをステンレスメッシュで被覆した状態を示す要部拡大縦断面図。
【図６】ステンレスメッシュの外方側の縁部を断熱材の外側面に取付けた状態を示す要部拡大縦断面図。
【図７】ステンレスメッシュの内方側の縁部を断熱材の内側面に取付けた状態を示す要部拡大縦断面図。
【図８】第２実施形態に係る建物の防蟻構造の要部拡大縦断面図。
【図９】断熱材の上面だけをステンレスメッシュで被覆した状態を示す要部拡大縦断面図。
【図１０】横断面がコ字状に形成された幅広のステンレスメッシュを取付けた状態を示す要部拡大縦断面図。
【図１１】ステンレスメッシュの内方側の縁部を土間床に取付けた状態を示す要部拡大縦断面図。
【図１２】ステンレスメッシュの内方側の縁部をならしモルタルに埋設した状態を示す要部拡大縦断面図。
【図１３】断熱材を立ち上がり部の内側面に密着させた状態を示す縦断面図。
【図１４】ステンレスメッシュの内方側の縁部を土間床に取付けた状態を示す要部拡大縦断面図。
【図１５】ステンレスメッシュの内方側の縁部を土間床に取付けると共に、外方側の縁部を気密パッキンの下に挟んだ状態を示す要部拡大縦断面図。
【図１６】断熱材を立ち上がり部の外側面と内側面の両方に密着させた状態を示す要部拡大縦断面図。
【図１７】第３実施形態に係る建物の防蟻構造の縦断面図。
【図１８】ステンレスメッシュの内方側の縁部を基礎スラブに埋設した状態を示す要部拡大縦断面図。
【符号の説明】
Ａ  建物
Ｂ  軸組
Ｃ  床組
１  布基礎
１ｃ  天端面
２  盛土
３  土間床
３ｃ  上面
４  立ち上がり部
４ａ  外側面
４ｂ  内側面
５  断熱材
５ａ  外側面
５ｂ  内側面
５ｃ  上面
６  白アリ
６ａ  頭部
７  ステンレスメッシュ（シート材）
７ａ，７ｂ  縁部
１２  編み目（アンカー孔）
１４  土台
１５  気密パッキン
１８  ならしモルタル
２０  基礎スラブ
２０ａ  外側面
【図１】
0003721445.tif 000002
【図２】
0003721445.tif 000003
【図３】
0003721445.tif 000004
【図４】
0003721445.tif 000005
【図５】
0003721445.tif 000006
【図６】
0003721445.tif 000007
【図７】
0003721445.tif 000008
【図８】
0003721445.tif 000009
【図９】
0003721445.tif 000010
【図１０】
0003721445.tif 000011
【図１１】
0003721445.tif 000012
【図１２】
0003721445.tif 000013
【図１３】
0003721445.tif 000014
【図１４】
0003721445.tif 000015
【図１５】
0003721445.tif 000016
【図１６】
0003721445.tif 000017
【図１７】
0003721445.tif 000018
【図１８】
0003721445.tif 000019